(57)【要約】【課題】必要なときには引出しを案内レールから抜いて、その引出しをケース本体から外した状態にすることができる書類整理ケースを提供する。【解決手段】ケース本体1に多段設けた案内レール2に引出し3をスライド自在として配設し、案内レールは前端部に、幅方向に突出した突出部4を設け、引出しを差し込んだときに、案内レールの突出部に引出しの底板3aの前端部の突起部5が当接して、それ以上、引出しが差し込めないようにし、引出しを引き出したときに、案内レールの突出部に引出しの底板の後端部の突起部6が当接して、それ以上、引出しが引き出せないようにし、さらに引出しの左右側板3cの後部に凹部7を形成し、案内レールの突出部に引出しの底板の後端部の突起部が当接したときに、引出しの前端を持ち上げると、引出しを後方から前方にかけて上り傾斜にした状態にすることができるようにし、当接状態が解除されて、引出しが引き出せるようにした。【選択図】図８
2015080911.tif 000002
【特許請求の範囲】
【請求項１】
前面が開口するケース本体（１）の内側面に対向して案内レール（２）が多段設けられ、これら対向する案内レール（２）のそれぞれの上段の案内レール（２）と下段の案内レール（２）の各間に、それぞれ引出し（３）を前記下段の案内レール（２）にスライド自在として配設し、
前記案内レール（２）は、それぞれの前端部に、幅方向に突出した突出部（４）を設けたものとし、
前記案内レール（２）に引出し（３）を差し込んだときに、案内レール（２）の突出部（４）に、引出し（３）の底板（３ａ）の外面の前端部に設けられた突起部（５）が当接して、それ以上、引出し（３）が差し込めないようにし、
前記案内レール（２）から前記引出し（３）を引き出したときに、案内レール（２）の突出部（４）に、引出し（３）の底板（３ａ）の外面の後端部に設けられた突起部（６）が当接して、それ以上、引出し（３）が引き出せないようにし、
さらに前記引出し（３）の左右側板（３ｃ）の後部に凹部（７）を形成したものとし、前記案内レール（２）の突出部（４）に前記引出し（３）の底板（３ａ）の後端部の突起部（６）が当接したときに、この引出し（３）の前端を持ち上げると、引出し（３）を後方から前方にかけて上り傾斜にした状態にすることができるようにし、前記当接状態が解除されて、引出し（３）が引き出せるようにしたことを特徴とする書類整理ケース。
【請求項２】
前記案内レール（１２）を可撓性の材料で形成したものとし、前記各引出し（３）の高さ（Ｈ）を、前記上段の案内レール（１２）と下段の案内レール（１２）の各間の間隔（Ｗ）より大きくしたことを特徴とする請求項１記載の書類整理ケース。
【請求項３】
前記凹部（７）は、円弧状に凹ませたものとし、引出し（３）の左右側板（３ｃ）の後端から、それぞれ左右側板（３ｃ）の長さの１／１５〜１／３の範囲に設けられており、その凹部（７）の最も深い部分は、引出し（３）の左右側板（３ｃ）の後端から、それぞれ左右側板（３ｃ）の長さの１／５〜１／４の位置にしており、それぞれ左右側板（３ｃ）の高さの１／７〜１／６の深さにしたことを特徴とする請求項１記載の書類整理ケース。
【発明の詳細な説明】
【技術分野】
【０００１】
この発明は、書類を収納する多段の引出しをケース本体に出し入れ自在として設けた書類整理ケースに関するものである。
【背景技術】
【０００２】
従来、この種の書類整理ケースとしては、例えば図１０に示したように、前面が開口するケース本体１１の内側面に対向して案内レール１２が多段設けられ、これら案内レール１２のそれぞれの上段の案内レール１２と下段の案内レール１２の各間に、それぞれ引出し１３を下段の案内レール１２にスライド自在として配設したものとして、多段の引出し１３をケース本体１１に出し入れ自在としたものが存在している（非特許文献１、特許文献１）。
【０００３】
前記書類整理ケースは、引出し１３を引き出したときに、引出し１３がそのまま抵抗なしに案内レール１２から外れて、ケース本体１１外に引き出されてしまうものや、引出し１３が案内レール１２から抜けてしまわないようにし、ケース本体１１外に引き出されてしまわないようにしたものとしている。
【０００４】
前記書類整理ケースにおいて、引出し１３がケース本体１１外に引き出されてしまうものは、引出し１３や案内レール１２には特に工夫を施したものとはしていないが、引出し１３がケース本体１１外に引き出されてしまわないようにしたものでは、図１０に示したように、引出し１３が案内レール１２から抜けてしまわないように、各案内レール１２の前端部に、幅方向に突出した突出部１２ａを設け、この突出部１２ａに引出し１３の底面の後端部に設けた突起部（図示せず）が、引出し１３を引き出したときに当接して、それ以上引出し１３が引き出せないようにしている。
【０００５】
さらに、前記書類整理ケースにおいて、前記上段の案内レール１２と下段の案内レール１２の各間の間隔より、前記引出し１３の高さをわずかに低くして、これら案内レール１２、１２の各間に余裕をもたせて配設することにより、引出し１３を引き出すときに、その引出し１３全体を持ち上げて引き出すと、引出し１３の突起部が案内レール１２の突出部１２ａを乗り越えて、引出し１３がケース本体１１外に引き出せるようにしたものも存在する。
【先行技術文献】
【特許文献】
【０００６】
【非特許文献１】生興株式会社「2013年度版のオフィス家具総合カタログ」第３３０〜３３２ページ
【特許文献１】実開平７−７９８１号公報
【発明の概要】
【発明が解決しようとする課題】
【０００７】
上記従来の書類整理ケースにおいて、前記引出し１３がケース本体１１外に引き出されてしまうものは、その引出し１３を外した状態で書類整理ができるので便利な面があるが、引出し１３を勢い良く引っ張り出すと、その勢いで引出し１３が案内レール１２から抜けて、引出し１３を落下させてしまったりして、わざわざ整理した書類が散乱してしまうようなことがあるという課題を有していた。
【０００８】
さらに、上記従来の書類整理ケースにおいて、引出し１３がケース本体１１外に引き出されてしまわないようにしたものでは、引出し１３を勢い良く引っ張り出しても、引出し１３が案内レール１２から抜けないので、引出し１３を落下させてしまうようなことはないが、その引出し１３をケース本体１１から外した状態で書類整理ができないので、不便であるという課題を有していた。
【０００９】
また、上記従来の書類整理ケースにおいて、引出し１３を引き出すときに、その引出し１３全体を持ち上げることにより、引出し１３がケース本体１１外に引き出せるようにしたものでは、引出し１３の高さを低くして、案内レール１２、１２の各間に余裕をもたせて配設されているため、引出し１３を勢い良く引っ張り出すと、引っ張り出した勢いで引出し１３の突起部が案内レール１２の突出部１２ａを乗り越えてしまい、引出し１３を落下させてしまうことがあるという課題を有していた。
【００１０】
そこで、この発明は、上記従来の書類整理ケースが有する課題を解決することを目的としており、引出しを勢い良く引っ張り出しても、その勢いで引出しが案内レールから抜けてしまうことなく、また必要なときには引出しを案内レールから抜いて、その引出しをケース本体から外した状態にすることができる書類整理ケースを提供することを目的としてなされたものである。
【課題を解決するための手段】
【００１１】
そのため、この発明の書類整理ケースは、前面が開口するケース本体１の内側面に対向して案内レール２が多段設けられ、これら対向する案内レール２のそれぞれの上段の案内レール２と下段の案内レール２の各間に、それぞれ引出し３を下段の案内レール２にスライド自在として配設し、前記案内レール２は、それぞれの前端部に、幅方向に突出した突出部４を設けたものとし、前記案内レール２に引出し３を差し込んだときに、案内レール２の突出部４に、引出し３の底板３ａの外面の前端部に設けられた突起部５が当接して、それ以上、引出し３が差し込めないようにし、前記案内レール２から前記引出し３を引き出したときに、案内レール２の突出部４に、引出し３の底板３ａの外面の後端部に設けられた突起部６が当接して、それ以上、引出し３が引き出せないようにし、さらに前記引出し３の左右側板３ｃの後部に凹部７を形成したものとし、前記案内レール２の突出部４に前記引出し３の底板３ａの後端部の突起部６が当接したときに、この引出し３の前端を持ち上げると、引出し３を後方から前方にかけて上り傾斜にした状態にすることができるようにし、前記当接状態が解除されて、引出し３が引き出せるようにしたものとしている。
【００１２】
さらに、この発明の書類整理ケースにおいて、前記案内レール１２を可撓性の材料で形成したものとし、前記各引出し３の高さＨを、前記上段の案内レール１２と下段の案内レール１２の各間の間隔Ｗより大きくしたものとしている。
【００１３】
また、この発明の書類整理ケースにおいて、前記凹部７は、円弧状に凹ませたものとし、引出し３の左右側板３ｃの後端から、それぞれ左右側板３ｃの長さの１／１５〜１／３の範囲に設けられており、その凹部７の最も深い部分は、引出し３の左右側板３ｃの後端から、それぞれ左右側板３ｃの長さの１／５〜１／４の位置にしており、それぞれ左右側板３ｃの高さの１／７〜１／６の深さにしたものとしている。
【発明の効果】
【００１４】
この発明の書類整理ケースは、以上に述べたように構成されており、引出しを勢い良く引っ張り出しても、その勢いで引出しが案内レールから抜けてしまうことがないので、引出しを落下させてしまったりして、わざわざ整理した書類が散乱してしまうようなことはなくなる。
【００１５】
さらに、この発明の書類整理ケースは、必要なときには引出しを案内レールから抜いて、その引出しをケース本体から外した状態にして書類を整理することができるので、便利なものとなる。
【図面の簡単な説明】
【００１６】
【図１】この発明の書類整理ケースの斜視図である。
【図２】この発明の書類整理ケースの引出しを平面側から見た斜視図である。
【図３】この発明の書類整理ケースの引出しを底面側から見た斜視図である。
【図４】この発明の書類整理ケースの引出しを引き出す前の状態を示す要部断面図である。
【図５】図４中の円で囲んだ部分の拡大断面図である。
【図６】この発明の書類整理ケースの引出しがこれ以上、引き出せない状態を示す要部断面図である。
【図７】図６中の円で囲んだ部分の拡大断面図である。
【図８】この発明の書類整理ケースの引出しを引き出す状態を示す要部断面図である。
【図９】図５中の円で囲んだ部分の拡大断面図である。
【図１０】従来の書類整理ケースの一例を示す斜視図である。
【発明を実施するための形態】
【００１７】
以下、この発明の書類整理ケースを実施するための形態を、図面に基づいて詳細に説明する。
【００１８】
この発明の書類整理ケースは、図１に示したように、前面が開口するケース本体１の内側面に対向して案内レール２が多段設けられ、これら対向する案内レール２のそれぞれの上段の案内レール２と下段の案内レール２の各間に、それぞれ引出し３を下段の案内レール２にスライド自在として配設し、各引出し３をケース本体１に出し入れ自在としている。
【００１９】
前記ケース本体１は、天板１ａ、底板１ｂ、左右側板１ｃ及び背板１ｄからなり、前面を開口したものとしている。このケース本体１の左右側板１ｃの内側面には、前記多数段の案内レール２が突設され、これら案内レール２は、前記各引出し３を支持するようにしており、それぞれ水平方向に配置されている。
【００２０】
前記案内レール２は、金属や合成樹脂などから形成されており、それぞれの前端部に、幅方向に突出した突出部４を案内レール２と一体として設けたものとしている。そして、
前記案内レール２は、一段毎、別々に形成したものを、ケース本体１の内側面に一段ずつ取り付けたものとしてもよいが、複数段を合成樹脂で一体成形したものを、ケース本体１の内側面に一度に取り付けたものとするのが、案内レール１３の取付け作業が簡便になるので好ましい。
【００２１】
前記引出し３は、図２、３に示したように、底板３ａ、前板３ｂ、左右側板３ｃ及び背板３ｄからなり、これらの板体により一体に合成樹脂成形され、上面が開口したケース状に形成されている。この引出し３には、底板３ａの外面の前端部に突起部５が設けられ、底板３ａの外面の後端部に突起部６が設けられている。また、前記引出し３の前板３ｂには、引手３Ａが設けられている。さらに、前記各引出し３は、前記案内レール２を合成樹脂などの可撓性の材料から形成した場合には、図４に示したように、その高さＨを、前記上段の案内レール２と下段の案内レール２の各間の間隔Ｗより少し大きくしたものとしている。このようにしても、上段の案内レール２と下段の案内レール２が撓んで、これらの間が少し広がるので、各引出し３の出し入れに支障をきたすことはない。またこのようにすると、前記各引出し３と、上段の案内レール２と下段の案内レール２の各間との隙間が小さくなり、前記各引出し３が案内レール２をスライドする時のガタツキが小さいものとなる。
【００２２】
このようにした引出し３は、前記案内レール２に差し込んだときに、案内レール２の突出部４に、引出し３の底板３ａの外面の前端部に設けられた突起部５が当接して、それ以上、差し込めないようにしている。さらに、前記案内レール２から引出し３を引き出したときに、案内レール２の突出部４に、引出し３の底板３ａの外面の後端部に設けられた突起部６が当接して、それ以上、引出し３が引き出せないようにしている。
【００２３】
すなわち、前記突起部５は、引出し３の底板３ａの外面の前端部の幅方向に二個設けたものとし、それぞれの後方に垂直面５ａを有し、それぞれの前方に傾斜部５ｂを有したものとし、引出し３を差し込んだときに、前記垂直面５ａが案内レール２の突出部４の前面４ａに当接して、それ以上、案内レール２に引出し３が差し込めないようにしている。
【００２４】
さらに、前記突起部６は、引出し３の底板３ａの外面の後端部の幅方向に二個設けたものとし、それぞれの前方に垂直面６ａを有し、それぞれの後方に傾斜部６ｂを有したものとし、引出し３を引き出したときに、前記垂直面６ａが案内レール２の突出部４の後面４ｂに当接して、それ以上、案内レール２から引出し３が引き出せないようにしている。
【００２５】
そして、前記引出し３の左右側板３ｃの後部には、凹部７を形成したものとし、前記案内レール２の突出部４に前記引出し３の底板３ａの後端部の突起部６が当接したときに、この引出し３の前端を持ち上げると、案内レール２の前端が前記凹部７に入り込んで引出し３の左右側板３の上端が接触することなく、この引出し３を後方から前方にかけて上り傾斜にした状態にすることができるようにし、前記当接状態が解除されて、引出し３が引き出せるようにしている。
【００２６】
すなわち、前記引出し３の前端を持ち上げて、この引出し３を後方から前方にかけて上り傾斜させた状態にすることにより、引出し３の突起部６が持ち上がり、この突起部６が案内レール２の突出部４を乗り越えて、その当接状態が解除されて、案内レール２から引出し３が引き出せるようにしている。
【００２７】
前記凹部７は、円弧状に凹ませたものとしており、引出し３の左右側板３ｃの後端から、それぞれ左右側板３ｃの長さの１／１５〜１／３の範囲に設けられており、その凹部７の最も深い部分は、引出し３の左右側板３ｃの後端から、それぞれ左右側板３ｃの長さの１／５〜１／４の位置にしており、それぞれ左右側板３ｃの高さの１／７〜１／６の深さにすることにより、前記突起６が前記突出部４を乗り越える程度に、引出し３の突起部６を持ち上げることができるようにしたものとしている。
【００２８】
したがって、以上のように構成したこの発明の書類整理ケースは、図４、５に示したように引出し３を差し込んだ状態では、案内レール２の突出部４の前面４ａに引出し３の突起部５の垂直面５ａが当接して、それ以上、案内レール２に引出し３が差し込めない状態となっている。
【００２９】
そして、前記図４、５に示した状態から、図６、７に示したように引出し３を引き出すと、案内レール２の突出部４の後面４ｂに引出し３の突起部６の垂直面６ａが当接して、それ以上、案内レール２から引出し３が引き出せない状態となる。
【００３０】
そこで、前記図６、７に示した状態から、図８、９に示したように引出し３の前方を持ち上げて、この引出し３を後方から前方にかけて上り傾斜にした状態にすると、引出し３の突起部６が持ち上がり、この突起部６が案内レール２の突出部４を乗り越えて、その当接状態が解除されて、案内レール２から引出し３が引き出せるようになる。
【００３１】
また、前記引出し３を後方から前方にかけて上り傾斜にした状態で、案内レール２に差し込むと、引出し３の突起部６の傾斜面６ｂが案内レール２の突出部４を乗り越えて、案内レール２から引き出した引出し３は、再び案内レール２に差し込むことができる。なお、前記案内レール２が可撓性の材料から形成されている場合には、前記引出し３を平行な状態にして案内レール２に差し込めば、引出し３の突起部６の傾斜面６ｂによって案内レール２の突出部４が押し下げられて、前記引出し３は、再び案内レール２に差し込むことができる。
【００３２】
よって、この発明の書類整理ケースは、引出し３を勢い良く引っ張り出しても、図６、７に示した状態で引出し３が停止し、その引き出した勢いで引出し３が案内レール２から抜けてしまうことがないので、引出し３を落下させてしまったりして、わざわざ整理した書類が散乱してしまうようなことはなくなる。
【００３３】
さらに、この発明の書類整理ケースは、必要なときには図８、９に示したように引出し３を後方から前方にかけて上り傾斜にした状態にすると、案内レール２から引出し３を引き抜くことができるようになり、その引出し３をケース本体１から外した状態にして書類を整理することができるので、便利なものとなる。
【符号の説明】
【００３４】
１  ケース本体
２  案内レール
３  引出し
３ａ  底板
３ｃ  側板
４  突出部
４ａ  前面
４ｂ  後面
５  突起部
５ａ  垂直面
５ｂ  傾斜面
６  突起部
６ａ  垂直面
６ｂ  傾斜面
７  凹部
Ｈ  高さ
Ｗ  間隔
【図１】
2015080911.tif 000003
【図２】
2015080911.tif 000004
【図３】
2015080911.tif 000005
【図４】
2015080911.tif 000006
【図５】
2015080911.tif 000007
【図６】
2015080911.tif 000008
【図７】
2015080911.tif 000009
【図８】
2015080911.tif 000010
【図９】
2015080911.tif 000011
【図１０】
2015080911.tif 000012